(57)【要約】【課題】薄型化を図ると共にクリック感を高めることができるスライドスイッチを提供すること。【解決手段】収容部を有するケース２と、ケース２内に、スライド可能に保持されたスライド部材５と、表面側でスライド部材５に係脱してクリック感を発生させるクリックバネ６と、クリックバネ６に背面側から弾性力を付与する補助バネ７とを備え、ケース２には、クリックバネ６および補助バネ７の延在方向の両端部を前後から支持する対向面６３、６５を有し、対向面６１、６２間にクリックバネ６および補助バネ７が重ねられた状態で取り付けられる一対の取付溝部２５と、補助バネ７の前面を支持する段部２６とが形成されたことを特徴とする。【選択図】図３
2011054385.tif 000002
【特許請求の範囲】
【請求項１】
収容部を有するケースと、
前記ケース内に、スライド可能に保持されたスライド部材と、
前記スライド部材のスライド方向に延在する板状に形成され、表面側で前記スライド部材に係脱してクリック感を発生させるクリックバネと、
前記スライド部材のスライド方向に延在する板状に形成され、前記クリックバネに背面側から弾性力を付与する１以上の補助バネとを備え、
前記ケースには、前記クリックバネおよび前記１以上の補助バネの延在方向の両端部を前後から支持する対向面を有し、前記対向面間に前記クリックバネおよび前記１以上の補助バネが重ねられた状態で取り付けられる一対の取付溝部と、前記１以上の補助バネの前面を支持する前面支持部とが形成されたことを特徴とするスライドスイッチ。
【請求項２】
前記前面支持部は、前記一対の取付溝部に設けられ、前記取付溝部の対向面間に前記１以上の補助バネの前面を支持する支持面を位置させることを特徴とする請求項１に記載のスライドスイッチ。
【請求項３】
前記一対の取付溝部には、前記クリックバネの取付位置から前記クリックバネの背面側に離間するしたがって、前記スライド部材のスライド方向に深くなる階段状の溝が形成されるように前記前面支持部が設けられ、
前記クリックバネおよび前記１以上の補助バネは、前記一対の取付溝部に取付可能な寸法に形成されたことを特徴とする請求項２に記載のスライドスイッチ。
【請求項４】
前記ケースの収容部を覆うカバーを備え、
前記カバーは、前記１以上の補助バネに背面側から弾性力を付与する支持バネを有することを特徴とする請求項１から請求項３のいずれかに記載のスライドスイッチ。
【請求項５】
前記一対の取付溝部は、前記クリックバネおよび前記１以上の補助バネの撓みを許容する遊び持った状態で、前記クリックバネおよび前記１以上の補助バネが取り付けられることを特徴とする請求項１から請求項４のいずれかに記載のスライドスイッチ。
【発明の詳細な説明】
【技術分野】
【０００１】
本発明は、スライドスイッチに関し、特に、音楽プレーヤや携帯電話等の小型の電子機器に用いられるスライドスイッチに関する。
【背景技術】
【０００２】
従来、このようなスライドスイッチとして、操作部のスライド操作時にクリック感を付与するものが知られている（例えば、特許文献１参照）。このスライドスイッチは、ハウジングと、ハウジング内をスライドするスライド部材と、スライドスイッチの側方に配置されたクリックバネとを備えて構成されている。クリックバネは、スライド部材のスライド方向に延在する板バネであり、延在方向の両端部をハウジングの側壁に形成された取付溝部に取り付けることでハウジング内に起立状態で支持されている。
【０００３】
また、クリックバネは、延在方向の中間部に突出部が形成されており、この突出部はスライド部材の一側面に形成された係合部に対向されている。そして、スライド部材のスライドにより、スライド部材の係合部とクリックバネの突出部とが係脱することで、スライド部材にクリック感が付与されている。
【先行技術文献】
【特許文献】
【０００４】
【特許文献１】特開２００９−８０９４０号公報
【発明の概要】
【発明が解決しようとする課題】
【０００５】
ところで、近年、電子機器の薄型化に伴いスライドスイッチの薄型化が望まれているが、上記した従来のスライドスイッチにおいては、スライドスイッチを薄型にする際にクリックバネを幅狭にしてクリックバネの高さを抑える必要がある。しかしながら、クリックバネを幅狭にすると、弾性力が低下して所望のクリック感が得られないという問題があった。
【０００６】
本発明はこのような実情に鑑みてなされたものであり、薄型化を図ると共にクリック感を高めることができるスライドスイッチを提供することを目的とする。
【課題を解決するための手段】
【０００７】
本発明のスライドスイッチは、収容部を有するケースと、前記ケース内に、スライド可能に保持されたスライド部材と、前記スライド部材のスライド方向に延在する板状に形成され、表面側で前記スライド部材に係脱してクリック感を発生させるクリックバネと、前記スライド部材のスライド方向に延在する板状に形成され、前記クリックバネに背面側から弾性力を付与する１以上の補助バネとを備え、前記ケースには、前記クリックバネおよび前記１以上の補助バネの延在方向の両端部を前後から支持する対向面を有し、前記対向面間に前記クリックバネおよび前記１以上の補助バネが重ねられた状態で取り付けられる一対の取付溝部と、前記１以上の補助バネの前面を支持する前面支持部とが形成されたことを特徴とする。
【０００８】
この構成によれば、クリックバネの弾性力が１以上の補助バネにより補助されるため、クリックバネおよび補助バネの板幅を狭くしても所望のクリック感を得ることができ、薄型のスライドスイッチに対応させることができる。ところで、このように２枚以上の板バネをケースに取り付けるものにおいては、一方の板バネが傾倒することで、他方の板バネを組み込み難くなるという問題がある。しかしながら、本発明においては、前面支持部と一対の取付溝部の後面により補助バネの前後の傾倒が防止されるため、補助バネの後にクリックバネを取り付けることにより、補助バネの傾倒によりクリックバネの取り付けが妨げられることがない。したがって、補助バネおよびクリックバネのケースに対する取り付けを容易にしてスライドスイッチの組み立て性を向上させることができる。
【０００９】
また本発明は、上記スライドスイッチにおいて、前記前面支持部は、前記一対の取付溝部に設けられ、前記取付溝部の対向面間に前記１以上の補助バネの前面を支持する支持面を位置させることを特徴とする。
【００１０】
この構成によれば、取付溝部の対向面間に前面支持部の支持面が位置されるため、一対の取付溝部において補助バネの傾倒を防止することができ、簡易な構成で補助バネおよびクリックバネのケースに対する取り付けを容易とすることができる。
【００１１】
また本発明は、上記スライドスイッチにおいて、前記一対の取付溝部には、前記クリックバネの取付位置から前記クリックバネの背面側に離間するしたがって、前記スライド部材のスライド方向に深くなる階段状の溝が形成されるように前記前面支持部が設けられ、前記クリックバネおよび前記１以上の補助バネは、前記一対の取付溝部に取付可能な寸法に形成されたことを特徴とする。
【００１２】
この構成によれば、クリックバネおよび１以上の補助バネの延在方向の寸法は、階段状の取付溝部に対応して形成されているため、一対の取付溝部における取付位置を誤ることがない。
【００１３】
また本発明は、上記スライドスイッチにおいて、前記ケースの収容部を覆うカバーを備え、前記カバーは、前記１以上の補助バネに背面側から弾性力を付与する支持バネを有することを特徴とする。
【００１４】
この構成によれば、クリックバネの弾性力が、補助バネと共に支持バネにより補助されるため、さらに強いクリック感を得ることができる。
【００１５】
また本発明は、上記スライドスイッチにおいて、前記一対の取付溝部は、前記クリックバネおよび前記１以上の補助バネの撓みを許容する遊び持った状態で、前記クリックバネおよび前記１以上の補助バネが取り付けられることを特徴とする。
【００１６】
この構成によれば、クリックバネおよび１以上の補助バネが一対の取付溝部に遊びを持って取り付けられるため、クリックバネおよび１以上の補助バネの撓みが取付溝部に強く規制されることがない。したがって、クリックバネおよび１以上の補助バネの剛性が必要以上に高まることを防止し、スライド部材の作動力が過剰となることがない。また、取付溝部に強い負荷がかからないため、ケースの破損を防止することができる。
【発明の効果】
【００１７】
本発明によれば、２枚以上の板バネを用いて、クリック感を弱くすることなく、スライドスイッチの薄型化を図ると共に、スライドスイッチの組み立て性を向上させることができる。
【図面の簡単な説明】
【００１８】
【図１】本発明に係るスライドスイッチの実施の形態を示す図であり、スライドスイッチの全体斜視図である。
【図２】本発明に係るスライドスイッチの実施の形態を示す図であり、スライドスイッチの分解斜視図である。
【図３】本発明に係るスライドスイッチの実施の形態を示す図であり、取付溝部の周辺の拡大図である。
【図４】本発明に係るスライドスイッチの実施の形態を示す図であり、取付溝部に取り付けられたクリックバネおよび補助バネの変形状態の説明図である。
【図５】本発明に係るスライドスイッチの変形例を示す図である。
【発明を実施するための形態】
【００１９】
以下、本発明の実施の形態について添付図面を参照して詳細に説明する。図１は、本発明の実施の形態に係る上部を開放したスライドスイッチの全体斜視図である。図２は、本発明の実施の形態に係るスライドスイッチの分解斜視図である。
【００２０】
図１および図２に示すように、スライドスイッチ１は、音楽プレーヤ等の図示しない基板に取り付けられて使用されるものであり、上面が開口されたケース２と、ケース２の開口に装着されるカバー３とを備えている。ケース２内には、操作部３６を有し、一方向にスライド可能なスライド部材５と、スライド部材５にクリック感を付与するクリックバネ６および補助バネ７とが収容されている。
【００２１】
ケース２は、上面が開口された直方体の箱形に形成されている。ケース２の短手方向の略中間部には、ケース２内を長手方向に仕切る隔壁部１６が延在し、この隔壁部１６によりケース２内に２つの収容部１７、１８が形成される。隔壁部１６により仕切られた一方の収容部１７には、スライド部材５がスライド可能に保持され、他方の収容部１８には、クリックバネ６および補助バネ７が保持されている。
【００２２】
ケース２の短手方向に位置する側壁部１１は、隔壁部１６と共にスライド部材５を両側からガイドしており、ケース２外に操作部３６を露出させる凹部２１が形成されている。凹部２１は、側壁部１１の長手方向に延在しており、スライド部材５のスライドに伴う操作部３６の移動を許容している。収容部１７の内底面は、スライド部材５のスライド方向に延在し、側壁部１１側に低くなるように傾斜する傾斜面２２と、傾斜面２２の高所部側に位置する水平な高部面２３と、傾斜面２２の低所部側に位置する水平な低部面２４とから構成されている。この場合、傾斜面２２は、スライド部材５に取り付けられた摺動子３８の摺動面として機能する。
【００２３】
収容部１８側において、ケース２の長手方向に位置する両側壁部１３、１４には、クリックバネ６および補助バネ７が取り付けられる一対の取付溝部２５が形成されている。各取付溝部２５は、クリックバネ６および補助バネ７が収まる溝幅を有し、隔壁部１６側には段部２６が設けられている。各取付溝部２５には、段部２６により上面視階段状の溝が形成されており、隔壁部１６側である前側にクリックバネ６が取り付けられ、開口部２７側である後側に補助バネ７が取り付けられる。
【００２４】
側壁部１１に対向する側壁部１２には、開口部２７が形成されている。開口部２７には、カバー３に設けられ、補助バネ７を背面から支持する支持バネ５５が位置される。また、側壁部１２には、開口部２７を挟んで一対の面取り部２８が形成されている。一対の面取り部２８は、ケース２内から外側に向けて開口部２７を狭めるように傾斜しており、クリックバネ６および補助バネ７の撓みを逃がしている。
【００２５】
両側壁部１３、１４の短手方向の両端部には、カバー３を係止する係止突起２９が外面から外側に突出して形成されており、ケース２の四隅でカバー３を固定している。ケース２の底壁部１５には、長手方向に３つの端子３１ａ、３１ｂ、３１ｃが埋設されている。各端子３１ａ、３１ｂ、３１ｃは、一端側が収容部１７の内底面に露出された固定接点部３２ａ、３２ｂ、３２ｃであり、他端側が側壁部１１側からケース２側に延出された半田付け部３３ａ、３３ｂ、３３ｃになっている。固定接点部３２ａ、３２ｂ、３２ｃは、その露出面が内底面に面一となっており、内底面と同様に傾斜面２２、高部面２３、低部面２４を有している。
【００２６】
スライド部材５は、スライド本体３５と、スライド本体３５に連なる操作部３６と、スライド本体３５および操作部３６に組み付けられたフレーム部３７と、スライド本体３５に取り付けられた可動接点部材としての摺動子３８とから構成されている。スライド本体３５は、スライド方向に平行に延在する摺動壁部４１、４２と、摺動壁部４１、４２の上部を接続する平板部４３とを有し、一対の摺動壁部４１、４２および平板部４３により側面視凹状に形成される。
【００２７】
操作部３６は、摺動壁部４１に接続され、側壁部１１の凹部２１を介してケース２外に延出される。フレーム部３７は、金属板で形成され、操作部３６およびスライド本体３５を補強する補強フレーム部４５と、補強フレーム部４５に連なりクリックバネ６に弾性係合する係合フレーム部４６とを有している。補強フレーム部４５は、一部が操作部３６内に挿入されると共に、スライド本体３５の上面から露出するようにインサート成形により組み付けられる。
【００２８】
係合フレーム部４６は、ケース２の長手方向に延在する板状であり、延在方向の両端部において補強フレーム部４５に対して垂直に折り曲げられて形成されている。また、係合フレーム部４６は、摺動壁部４２に対し間隔を空けて折り曲げられており、スライド部材５がケース２に収容された状態で、収容部１８において隔壁部１６の側面に沿うように配置される。係合フレーム部４６の延在方向の中間部には、クリックバネ６側に突出した係合部４７が形成されており、係合部４７はスライド部材５のスライド時にクリックバネ６に形成された突出部５２に係脱される。
【００２９】
摺動子３８は、金属板等の導電性の板材を折り曲げて形成され、中間部からスライド方向の前後に延びる一対の片持バネ５１ａ、５１ｂを有している。摺動子３８の中間部は、一対の片持バネ５１ａ、５１ｂの基端部および製造工程で取り残されたバリによって略十字状になっている。この略十字状の交差部分は、スライド本体３５に圧入され、摺動子３８がスライド部材５に取り付けられる。スライド部材５に取り付けられた摺動子３８は、傾斜面２２上をスライド方向に摺動する。
【００３０】
クリックバネ６は、長尺状の金属板を折り曲げて形成され、延在方向の中間部にスライド部材５側に突出した突出部５２を有している。補助バネ７は、長尺状の金属板であり、クリックバネ６よりも延在方向の寸法が長く形成されている。クリックバネ６は、一対の取付溝部２５内に補助バネ７と重ねられた状態で取り付けられており、後側に位置する補助バネ７により弾性力が補助される。
【００３１】
カバー３は、ケース２の上部に装着され、ケース２と共に収容部１７、１８を形成している。カバー３の四隅には、係止片５４が形成されており、係止片５４がケース２の四隅に形成された係止突起２９に係止されてカバー３がケース２の上面に装着される。カバー３の一側方には、長手方向の両端部において上板から垂直に折り曲げられて、支持バネ５５が形成されている。
【００３２】
支持バネ５５は、ケース２内に向けて突出した両持ちバネであり、側壁部１２の開口部２７を介して補助バネ７の背面側に弾性力を付与している。このように、スライドスイッチ１においては、クリックバネ６に対して補助バネ７、支持バネ５５により弾性力が付与されるため、スライド部材５のスライド時に強いクリック感を得ることが可能となっている。
【００３３】
図３を参照して、ケースに形成された取付溝部について詳細に説明する。図３は、本発明の実施の形態に係る取付溝部の周辺の拡大図である。図３においては、（ａ）がクリックバネおよび補助バネが撓んでいない状態、（ｂ）がクリックバネおよび補助バネが撓んだ状態をそれぞれ示している。
【００３４】
図３（ａ）に示すように、取付溝部２５には、クリックバネ６の前方への傾倒を規制する第１の前方規制面６１および補助バネ７の後方への傾倒を規制する後方規制面６２が対向して形成されている。また、取付溝部２５には、第１の前方規制面６１から開口部２７側に段部２６が突設され、この段部２６によりケース２内側から外側に溝が深くなるように上面視階段状の溝が形成される。段部２６には、補助バネ７の前方への傾倒を規制する第２の前方規制面６３が形成されている。
【００３５】
また、段部２６には、第１の前方規制面６１および第２の前方規制面６３に対して垂直に連なり、クリックバネ６の延在方向の端面をガイドする第１の側方ガイド面６４が形成されている。さらに、取付溝部２５には、第２の前方規制面６３および後方規制面６２に対して垂直に連なり、補助バネ７の延在方向の端面をガイドする第２の側方ガイド面６５が形成されている。すなわち、第１の前方規制面６１および第１の側方ガイド面６４によりクリックバネ６の取付位置６６が規定され、第２の前方規制面６３、後方規制面６２および第２の側方ガイド面６５により補助バネ７の取付位置６７が規定される。
【００３６】
そして、補助バネ７は、第２の前方規制面６３および後方規制面６２により、前後方向への傾倒が防止され、クリックバネ６は、第１の前方規制面６１および補助バネ７の前面により、前後方向への傾倒が防止される。したがって、補助バネ７を取付位置６７に取り付けた後に、クリックバネ６を取付位置６６に取り付けることによって、補助バネ７の傾倒によりクリックバネ６の取り付けが阻害されることがない。
【００３７】
また、第１の側方ガイド面６４は、取付溝部２５の溝内において、段部２６が設けられた分だけ、第２の側方ガイド面６５よりもケース２の収容部１８側に位置されている。この場合、ケース２の長手方向において対向する第１の側方ガイド面６４間は、クリックバネ６の延在方向の寸法よりも広く、補助バネ７の延在方向の寸法よりも狭い間隔を有している。したがって、クリックバネ６の取付位置６６に対する補助バネ７の取り付けが防止され、クリックバネ６および補助バネ７の取付位置を誤ることがない。
【００３８】
さらに、取付溝部２５には、遊びを持たせた状態で、クリックバネ６および補助バネ７が取り付けられている。具体的には、第１の前方規制面６１および後方規制面６２間は、クリックバネ６および補助バネ７の板厚の合計寸法よりも広く形成されている。また、ケース２の長手方向において対向する一対の第１の側方ガイド面６４間は、クリックバネ６の延在方向の寸法より広く、ケース２の長手方向において対向する一対の第２の側方ガイド面６５間は、補助バネ７の延在方向の寸法よりも広く形成されている。
【００３９】
この場合、遊び量は、クリックバネ６および補助バネ７の撓みを規制せず、かつ取付溝部２５からのクリックバネ６および補助バネ７の外れを防止する範囲に設定される。例えば、図３（ｂ）に示すように、第１の前方規制面６１および第１の側方ガイド面６４は、クリックバネ６が撓んだ場合に、クリックバネ６の延在方向の端部に当接しないように遊び量が設定されている。また、第２の前方規制面６３および第２の側方ガイド面６５は、補助バネ７が撓んだ場合に、補助バネ７の延在方向の端部に当接しないように遊び量が設定されている。
【００４０】
よって、クリックバネ６および補助バネ７の撓みが、第１、第２の前方規制面６１、６３および第１、第２の側方ガイド面６５に規制されることがない。したがって、クリックバネ６および補助バネ７の剛性が必要以上に高まるのを防止し、操作部３６の作動力が過剰となることがない。また、クリックバネ６および補助バネ７の反力によって、取付溝部２５に強い付加がかかることがないため、ケース２の破損を防止することが可能となる。
【００４１】
なお、上記した遊び量は、クリックバネ６および補助バネ７と第１、第２の前方規制面６１、６３および第１、第２の側方ガイド面６４、６５との当接を避ける範囲に限定されるものではない。クリックバネ６および補助バネ７の剛性が必要以上に高まらず、さらにケース２の破損が生じないのであれば、クリックバネ６および補助バネ７と第１、第２の前方規制面６１、６３および第１、第２の側方ガイド面６５とが当接する範囲に遊び量を設定してもよい。
【００４２】
図２および図３を参照して、スライドスイッチの組み立て手順について説明する。なお、ケース２には複数の端子３１ａ、３１ｂ、３１ｃが既に取り付けられ、スライド部材５にはフレーム部３７および摺動子３８が既に取り付けられているものとする。
【００４３】
まず、補助バネ７を第２の前方規制面６３、第２の側方ガイド面６５および後方規制面６２に沿わせるようにして取付位置６７に起立状態で載置する。このとき、補助バネ７の延在方向の寸法は、ケース２の長手方向において対向する第１の側方ガイド面６４間の間隔よりも広いため、補助バネ７の取付位置を誤ることがない。
【００４４】
次に、クリックバネ６を第１の前方規制面６１、第１の側方ガイド面６４および補助バネ７の前面に沿わせるようにして取付位置６６に起立状態で載置する。この場合、補助バネ７は、第２の前方規制面６３および後方規制面６２により前後方向への傾倒が規制されるため、クリックバネ６の取付を阻害することがない。
【００４５】
次に、スライド部材５の一対の摺動壁部４１、４２をケース２の側壁部１１および隔壁部１６の対向面に沿わせるようにして、スライド部材５をケース２の内底面に載置する。このとき、操作部３６がケース２の凹部２１を介して外部に突出されると共に、摺動子３３の接点部がケース２の傾斜面２２に接触する。
【００４６】
そして、カバー３の四隅に形成された係止片５４を、ケース２の四隅に形成された係止突起２９に係止し、カバー３をケース２に装着する。このとき、カバー３に形成された支持バネ５５が開口部２７に位置され、補助バネ７の背面を支持する。スライドスイッチ１は、ケース２に対し、補助バネ７、クリックバネ６、スライド部材５、カバー３を順に載置するだけで、簡易に組み立てることが可能となっている。
【００４７】
このようにして組み立てられたスライドスイッチ１は、クリックバネ６、補助バネ７および支持バネ５５の３つの板バネによりスライド部材５にクリック感を付与している。したがって、クリックバネ６、補助バネ７および支持バネ５５の板幅を小さくして、各板バネの高さを抑えても、スライド部材５に十分なクリック感を与えることができるため、薄型のスライドスイッチ１に対応させることが可能となる。
【００４８】
一方、従来例のように、単一のクリックバネを使用するスライドスイッチでは、十分な弾性力を生じさせるためにクリックバネの板幅を大きくしなければならず、薄型のスライドスイッチに対応させることができない。また、単一のクリックバネの板厚を厚くすることも考えられるが、剛性が高くなりすぎて、適切なクリック感を得ることができない。
【００４９】
図４を参照して、スライドスイッチの切換動作について説明する。図４は、スライドスイッチの切り替え動作の説明図である。
【００５０】
図４（ａ）に示すように、スライド部材５が図示右側に位置している場合には、摺動子３８の接点部が端子３１ａ、３１ｂの固定接点部３２ａ、３２ｂに接触しており、係合フレーム部４６の係合部４７がクリックバネ６の突出部５２の図示右側に位置している。この場合、クリックバネ６は、補助バネ７およびカバー３に設けられた支持バネ５５によって背面側から支持されている。この状態から、操作部３６を用いてスライド部材５を図示左側にスライドさせると、摺動子３８の接点部が端子３１ａ、３１ｂの固定接点部３２ａ、３２ｂから外れ始め、クリックバネ６の突出部５２が係合フレーム部４６の係合部４７に押圧されて、クリックバネ６、補助バネ７および支持バネ５５が弾性力に抗して開口部２７側に撓み始める。
【００５１】
そして、図４（ｂ）に示すように、スライド部材５がケース２の長手方向の中間位置にスライドすると、摺動子３８の接点部が端子３１ａ、３１ｂの固定接点部３２ａ、３２ｂから完全に外れ、クリックバネ６、補助バネ７および支持バネ５５が大きく撓んで、係合フレーム部４６の係合部４７がクリックバネ６の突出部５２に乗り上げる。この場合、補助バネ７の延在方向の中央部は、側壁部１２に形成された一対の面取り部２８により開口部２７側への撓みが許容される。
【００５２】
さらに、スライド部材５が図示左側にスライドすると、摺動子３８の接点部が端子３１ｂ、３１ｃの固定接点部３２ｂ、３２ｃに接触し始め、係合フレーム部４６の係合部４７がクリックバネ６の突出部５２から外れ、クリックバネ６、補助バネ７および支持バネ５５が弾性力により内側に押し戻される。そして、図４（ｃ）に示すように、スライド部材５が図示左側に到達すると、摺動子３８の接点部が端子３１ｂ、３１ｃの固定接点部３２ｂ、３２ｃに完全に接触し、係合フレーム部４６の係合部４７がクリックバネ６の突出部５２の図示左側に位置する。このように、クリックバネ６に対して補助バネ７および支持バネ５５により弾性力が付加されるため、スライド部材５のスライド時に強いクリック感が得られるようになっている。
【００５３】
以上のように、本実施の形態に係るスライドスイッチ１によれば、クリックバネ６の弾性力が補助バネ７および支持バネ５５により補助されるため、クリックバネ６、補助バネ７および支持バネ５５の板幅を狭くしても所望のクリック感を得ることができ、スライドスイッチ１の薄型化を図ることができる。また、第２の前方規制面６３および後方規制面６２により補助バネ７の前後の傾倒が防止されるため、補助バネ７の後にクリックバネ６を一対の取付溝部２５に取り付けることにより、補助バネ７の傾倒によりクリックバネ６の取り付けが妨げられることがない。したがって、クリックバネ６および補助バネ７のケース２に対する取り付けを容易にしてスライドスイッチ１の組み立て性を向上させることができる。
【００５４】
なお、上記した実施の形態においては、一対の取付溝部に前面支持部としての段部を設ける構成としたが、この構成に限定されるものではない。前面支持部は、補助バネの前面を支持可能な位置に設けられていればよく、例えば、図５（ａ）に示すように、前面支持部７４をクリックバネ７２の突出部７５と補助バネ７３との間の領域において、ケース７１の内底面から突出させるようにしてもよい。この場合、前面支持部７４は、クリックバネ７２の背面に位置するため、クリックバネ７２が撓みによってクリックバネ７２との接触が避けられ、破損することがない。
【００５５】
また、上記した実施の形態においては、側壁の上面と同一の高さを有するように段部を設けて、一対の取付溝部に上面視階段状の溝を形成させる構成としたが、この構成に限定されるものではない。図５（ｂ）に示すように、側壁の上面から一段低くなるように前面支持部８４を形成する構成としてもよい。このように構成しても、前面支持部８４に形成された前方規制面８５により補助バネ８３の前方への傾倒を規制することが可能である。なお、この場合、前面支持部８４を避けるようにクリックバネ８２の下部を切り欠いて、クリックバネ８２を取付溝部８６に配置することも可能である。
【００５６】
また、上記した実施の形態においては、一対の取付溝部にクリックバネおよび単一の補助バネを取り付ける構成としたが、この構成に限定されるものではない。図５（ｃ）に示すように、取付溝部９６にクリックバネ９２および複数（本変形例では２つ）の補助バネ９３ａ、９３ｂを取付可能となるように前面支持部９４を設ける構成としてもよい。
【００５７】
また、上記した実施の形態においては、カバーに支持バネを設ける構成としたが、この構成に限定されるものではない。クリックバネと補助バネによりスライド部材に対して十分なクリック感を与えることができるのであれば、カバーに支持バネを設けない構成としてもよい。
【００５８】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５９】
以上説明したように、本発明は、２枚以上の板バネを用いて、クリック感を弱くすることなく、スライドスイッチの薄型化を図ると共に、スライドスイッチの組み立て性を向上させることができるという効果を有し、特に、音楽プレーヤや携帯電話等の小型の電子機器に用いられるスライドスイッチに有用である。
【符号の説明】
【００６０】
１  スライドスイッチ
２、７１、８１、９１  ケース
３  カバー
５  スライド部材
６、７２、８２、９２  クリックバネ
７、７３、８３、９３ａ、９３ｂ  補助バネ
１６  隔壁部
２５、７６、８６、９６  取付溝部
２６  段部（前面支持部）
２７  開口部
２８  面取り部
３５  スライド本体
３６  操作部
４６  係合フレーム部
４７  係合部
５２、７５  突出部
５５  支持バネ
６１  第１の前方規制面（対向面）
６２  後方規制面（対向面）
６３  第２の前方規制面（支持面）
６４  第１の側方ガイド面
６５  第２の側方ガイド面
６６  クリックバネの取付位置
６７  補助バネの取付位置
７４、８４、９４  前面支持部
８５  前方規制面
【図１】
2011054385.tif 000003
【図２】
2011054385.tif 000004
【図３】
2011054385.tif 000005
【図４】
2011054385.tif 000006
【図５】
2011054385.tif 000007